(57)【特許請求の範囲】
【請求項１】
気体圧送ポンプを収容するポンプケーシングと、モータケーシングの先端側にて開口するロータ挿入孔内に取り出し可能にロータを挿入したブラシレスモータとを備え、ロータ回転軸の先端側に前記気体圧送ポンプが一体回転可能に連結され、前記モータケーシング側に設けた第１磁性部材とロータ先端側に設けた第２磁性部材とにより先端側のスラスト磁気軸受が構成された人工呼吸器用気体圧送ポンプにおいて、
前記第１磁性部材は、その内周面が前記ロータ挿入孔の内周面とほぼ面一となるように前記ロータ挿入孔の開口部内周面に設けた嵌着段部に嵌着されて、前記第２磁性部材の外周側となる位置に設けられていることを特徴とする人工呼吸器用気体圧送ポンプ。
【請求項２】
前記第１磁性部材は環状マグネットであり、その環状マグネットは前記嵌着段部に嵌着されていることを特徴とする請求項１に記載の人工呼吸器用気体圧送ポンプ。
【請求項３】
前記第２磁性部材は環状マグネットであり、その環状マグネットの外径寸法は前記気体圧送ポンプの外径寸法よりも小さくなるように設定されていることを特徴とする請求項１または２に記載の人工呼吸器用気体圧送ポンプ。
【請求項４】
モータケーシングの先端側にて開口するロータ挿入孔内にロータが回転可能且つ取り出し可能に挿入され、前記モータケーシング側に設けた第１磁性部材とロータ先端側に設けた第２磁性部材とにより先端側のスラスト磁気軸受が構成され、ロータ回転軸の先端側に気体圧送ポンプが連結可能な人工呼吸器用ブラシレスモータにおいて、
前記第１磁性部材は、その内周面が前記ロータ挿入孔の内周面とほぼ面一となるように前記ロータ挿入孔の開口部内周面に設けた嵌着段部に嵌着されて、前記第２磁性部材の外周側となる位置に設けられていることを特徴とする人工呼吸器用ブラシレスモータ。
【発明の詳細な説明】
【０００１】
【発明の属する技術分野】
本発明は、人工呼吸器用気体圧送ポンプ及びそれに用いられるブラシレスモータに関するものである。
【０００２】
【従来の技術】
従来、直流モータからブラシや整流子などの機械的な接触部を取り除き、それらの代わりに電子的な整流機構を採用した無整流子モータ（いわゆるブラシレスモータ）が広く知られている。
【０００３】
一般に、このタイプのモータでは、内部に収容したロータを、界磁マグネットと電機子コイルとの磁気的相互作用に基づいて回転駆動させるという構成が採用されている。また、ロータの荷重は、ラジアル磁気軸受及びスラスト磁気軸受という２種の非接触式軸受により支承されるようになっている。
【０００４】
ところで、近年ではこのようなブラシレスモータを人工呼吸器のような医療機器における回転駆動手段として利用することが提案されている。ここで、従来の人工呼吸器用気体圧送ポンプの構成について説明する。
【０００５】
従来の人工呼吸器用気体圧送ポンプは、ポンプケーシングとモータケーシングとを備えている。ガス吸入口とガス吐出口とを有するポンプケーシング内には、複数の羽根を有する気体圧送ポンプが回転可能に収容されている。モータケーシングには、先端側にて開口するロータ挿入孔が形成されている。モータケーシングの先端側はポンプケーシングの側面中央部に対して取り付けられている。ロータ挿入孔内にはロータが回転可能に挿入されている。ロータを構成する回転軸の先端側は、モータケーシングから突出するとともに、気体圧送ポンプに連結されている。回転軸の周囲にはラジアル磁気軸受を構成する複数の界磁マグネットが配設されている。モータ内には、２組のスラスト磁気軸受が設けられている。そのうち先端側のスラスト磁気軸受は、一対のマグネットを対向配置することによって構成されている。一方のマグネットは、ロータ先端側に設けられたブッシュに取り付けられている。他方のマグネットは、モータケーシング側において前記ブッシュの先端側に設けられたマグネット保持部に取り付けられている。即ち、従来においては、先端側のスラスト磁気軸受を構成する一対のマグネットが、ロータ軸線方向に沿って並ぶように配設されている。
【０００６】
【発明が解決しようとする課題】
ところで、このような人工呼吸器用気体圧送ポンプにおいては、患者が咳き込むと、細菌やウィルスがポンプケーシング内に入り込み、さらにはモータ内にまで入り込んでしまうことが予想される。そのため、一定期間ごとに装置を洗浄したり、オートクレーブにより滅菌消毒するという作業を実施する必要がある。
【０００７】
この場合、２つのケーシングを分解して個別に洗浄、滅菌消毒するばかりでなく、モータ自体についても分解してモータケーシングからロータを取り出した状態でそれらを個別に洗浄、滅菌消毒することが望ましい。
【０００８】
しかしながら、従来のモータ構造では、先端側のスラスト磁気軸受を構成するモータケーシング側マグネット及びその保持部が、ロータ挿入孔においてロータ側マグネットよりも前方側に位置している。それゆえ、当該モータケーシング側マグネット及びその保持部が邪魔になり、ロータをロータ挿入孔から簡単に取り出すことができなかった。
【０００９】
また、仮に簡単に分解可能なモータ構造を実現できたとしても、マグネットがモータケーシング外に露出することになるため、慎重に取り扱わないと、マグネットが破損する可能性があった。
【００１０】
本発明は上記の事情に鑑みてなされたものであり、その目的は、モータケーシングとロータとを簡単に分解することができ、洗浄や滅菌消毒を確実に行うことができる人工呼吸器用気体圧送ポンプ及びそれに用いられるブラシレスモータを提供することにある。
【００１１】
また、本発明の別の目的は、分解時であっても破損しにくく取扱性に優れた人工呼吸器用気体圧送ポンプ及びそれに用いられるブラシレスモータを提供することにある。
【００１２】
【課題を解決するための手段】
上記の課題を解決するために、請求項１に記載の発明では、気体圧送ポンプを収容するポンプケーシングと、モータケーシングの先端側にて開口するロータ挿入孔内に取り出し可能にロータを挿入したブラシレスモータとを備え、ロータ回転軸の先端側に前記気体圧送ポンプが一体回転可能に連結され、前記モータケーシング側に設けた第１磁性部材とロータ先端側に設けた第２磁性部材とにより先端側のスラスト磁気軸受が構成された人工呼吸器用気体圧送ポンプにおいて、前記第１磁性部材は、その内周面が前記ロータ挿入孔の内周面とほぼ面一となるように前記ロータ挿入孔の開口部内周面に設けた嵌着段部に嵌着されて、前記第２磁性部材の外周側となる位置に設けられていることを特徴とする人工呼吸器用気体圧送ポンプをその要旨とする。
【００１３】
請求項２に記載の発明は、請求項１において、前記第１磁性部材は環状マグネットであり、その環状マグネットは前記嵌着段部に嵌着されているとした。
【００１４】
請求項３に記載の発明は、請求項１または２において、前記第２磁性部材は環状マグネットであり、その環状マグネットの外径寸法は前記気体圧送ポンプの外径寸法よりも小さくなるように設定されているとした。
【００１５】
請求項４に記載の発明では、モータケーシングの先端側にて開口するロータ挿入孔内にロータが回転可能且つ取り出し可能に挿入され、前記モータケーシング側に設けた第１磁性部材とロータ先端側に設けた第２磁性部材とにより先端側のスラスト磁気軸受が構成され、ロータ回転軸の先端側に気体圧送ポンプが連結可能な人工呼吸器用ブラシレスモータにおいて、前記第１磁性部材は、その内周面が前記ロータ挿入孔の内周面とほぼ面一となるように前記ロータ挿入孔の開口部内周面に設けた嵌着段部に嵌着されて、前記第２磁性部材の外周側となる位置に設けられていることを特徴とする人工呼吸器用ブラシレスモータをその要旨とする。
【００１６】
以下、本発明の「作用」について説明する。
請求項１，４に記載の発明によると、第１磁性部材がロータ軸線方向に沿って配置されていないことから、第１磁性部材が第２磁性部材の邪魔にならず、ロータをロータ挿入孔から簡単に取り出すことが可能となる。このため、モータケーシングとロータとを分解した状態で、それらを個別に洗浄、滅菌消毒することができる。勿論、この構成であると、分解後に再度簡単に組み立てることも可能となる。
【００１７】
請求項２に記載の発明によると、第１磁性部材である環状マグネットが嵌着段部に嵌着されることにより、当該環状マグネットがモータケーシング側に確実に保持される。また、この構造であると、ロータの取り出し時において当該環状マグネットにロータが当接しにくくなり、環状マグネットが破損しにくくなる。
【００１８】
請求項３に記載の発明によると、上記の寸法関係を設定したことにより、第２磁性部材である環状マグネットに比べて気体圧送ポンプのほうが、ロータの径方向に張り出した状態となっている。ゆえに、モータを分解してモータケーシングからロータを取り出してそれを載置した場合、気体圧送ポンプの外周部が載置面に対して接触し、第２磁性部材である環状マグネットは何ら接触しなくなる。従って、環状マグネットが破損しにくくなる。
【００１９】
【発明の実施の形態】
以下、本発明の人工呼吸器を具体化した実施形態について図１〜図５に基づき詳細に説明する。
【００２０】
図１に示されるように、この人工呼吸器用気体圧送ポンプ１は、大まかにいって気体圧送ポンプ部２とブラシレスモータ３とによって構成されている。
気体圧送ポンプ部２を構成するポンプケーシング４は、その内部にポンプ収容空間５を備えている。複数の部材からなるポンプケーシング４には、ポンプ収容空間５に連通するガス吸入口６及びガス吐出口７がそれぞれ突設されている。ガス吸入口６には図示しないチューブの一端が連結されており、そのチューブの他端は酸素ガスや麻酔ガスの供給源に対して連結されている。ガス吐出口７には図示しない別のチューブの一端が連結されており、そのチューブの他端は患者の口に取り付けられたマウスピースに対して連結されている。ポンプ収容空間５の中には、図２に示すような複数の羽根８ａを有する円盤状の気体圧送ポンプ８が回転可能に収容されている。そして、この気体圧送ポンプ８が所定方向に回転することにより、酸素ガスや麻酔ガスがガス吸入口６側からガス吐出口７側へと圧送されるようになっている。
【００２１】
次に、ブラシレスモータ３の構成について説明する。
図１に示されるように、本実施形態のブラシレスモータ３は、固定側であるモータケーシング１１と、回転側であるロータ１２とを備えている。モータケーシング１１を構成するケーシング本体１３は略筒状であって、ロータ挿入孔１５を備えている。ケーシング本体１３の後端部には、中央に凹部１４ａを有するエンドプレート１４が固着されている。その結果、ロータ挿入孔１５は先端側（図１では左端側）のみが開口し、後端側（図１では右端側）が閉塞された状態となっている。このロータ挿入孔１５は開口部が他の部分に比べて若干狭くなっている。なお、ケーシング本体１３の先端側は、ポンプケーシング４の左端側中央部に設けられた取付穴に嵌入された状態で取り付けられる。
【００２２】
ロータ挿入孔１５内にはロータ１２が回転可能な状態で挿入されている。ロータ１２を構成する動力伝達用シャフト１６の先端部は、ロータ挿入孔１５の開口部から突出して、ポンプケーシング４のポンプ収容空間５内に至っている。そして、回転軸としての動力伝達用シャフト１６の先端部には、気体圧送ポンプ８がナット１７を用いて一体回転可能に連結されている。
【００２３】
ロータ挿入孔１５内において動力伝達用シャフト１６の周囲には、環状をなす一対のブッシュ１８ａ，１８ｂが所定間隔を隔てて固定されている。これらのブッシュ１８ａ，１８ｂの間には、界磁マグネット１９が保持されている。両ブッシュ１８ａ，１８ｂは、界磁マグネット１９の軸方向への磁束の漏洩を防止するために、磁性体によって形成されている。
【００２４】
図３に示されるように、界磁マグネット１９は、シャフト１６の周囲において４個の永久磁石片２０を円筒状に組み合わせることによって構成されている。また、界磁マグネット１９を構成している各々の永久磁石片２０は、隣接する磁極が互いに異極同士となるように交互に配置された状態となっている。
【００２５】
図１に示されるように、両ブッシュ１８ａ，１８ｂの相対向する側の外周部には、それぞれ嵌着段部２１が環状に切欠き形成されている。これらの嵌着段部２１間には、炭化珪素焼結体等のセラミックス材料によって形成された筒状カバー２２が嵌め込まれている。そして、この筒状カバー２２によって、界磁マグネット１９の外周面が包囲された状態となっている。
【００２６】
図１に示されるように、筒状カバー２２の外側には、包囲部材としてのスリーブ２３が配置されている。このスリーブ２３は、炭化珪素焼結体を材料として円筒状に形成されている。炭化珪素焼結体以外にも、例えばアルミナ、窒化珪素、サイアロン等のようなセラミック焼結体を材料として用いることもできる。また、スリーブ２３は、エンドプレート１４に形成された嵌着段部２４と、ケーシング本体１３に形成された嵌着段部２５との間に支持されている。また、筒状カバー２２の外周面と対向して配置されるスリーブ２３の内周面は、接触摺動性をよくするために滑らかに研磨加工されている。
【００２７】
図１に示されるように、ケーシング１の内側に配置された円筒状のヨーク２６とスリーブ２３との間には、空間２７が形成されている。スリーブ２３には、前記空間２７側とロータ１２側とをつなぐ複数の通気孔２８が透設されている。エンドプレート１４には空気導入孔２９が透設されている。この空気導入孔２９には、図示しないエアホースを介して図示しない気体圧送ポンプが接続されている。従って、気体圧送ポンプから送り出される高圧空気は、エアホース、空気導入孔２９、空間２７及び通気孔２８を経て、ロータ１２とスリーブ２３とがなす間隙に供給される。
【００２８】
つまり、ロータ１２は、気体圧送ポンプから供給される空気の圧力により、スリーブ２３内において非接触状態に保持される。このとき、ロータ１２とスリーブ２３の内周面との間には所定のクリアランスが保たれる。即ち、本実施形態においては、前述した筒状カバー２２とスリーブ２３とによって、実質的にラジアル空気軸受けが構成されている。
【００２９】
図１〜図３に示されるように、スリーブ２３の外周面上には、３個の電機子コイル３０が円周方向に沿って等間隔に配設されている。また、スリーブ２３の外周面上の中央部かつ前記電機子コイル３０の巻回領域内には、３つのホール素子３１が円周方向に沿ってほぼ等間隔に設けられている。各ホール素子３１は、電源接続端子、アース端子及び信号端子を備えている。各々の端子は、図３に示されるように、スリーブ２３の外周面上にメタライズされた配線を介して、同種のもの同士で電気的に接続されている。各電機子コイル３０の巻端部も、スリーブ２３の外周面上にメタライズされた別の配線によって互いに電気的に接続されている。
【００３０】
各ホール素子３１は、ロータ１２を構成している各永久磁石片２０が回転するときの磁極の変化を検出するためのものである。これらのホール素子３１からの検出結果に基づいて、各電機子コイル３０への通電量及び通電方向などが制御されるようになっている。このとき、各電機子コイル３０によって順次発生される磁界と、ロータ１２の界磁マグネット１９との相互作用に基づいて、ロータ１２が回転制御される。
【００３１】
なお、エンドプレート１４には、図示しない複数のコネクタピンが立設されている。これらのコネクタピンの基端部は、スリーブ２３の外周面上の配線と電気的に接続されている。各コネクタピンの先端部は、コネクタ側に同じ数だけ設けられた図示しないピン孔に対して嵌脱可能となっている。このため、コネクタ装着時においては、コネクタピンを介して、ブラシレスモータ３側と図示しない制御ユニット側とが電気的に接続された状態となる。
【００３２】
次に、本実施形態のブラシレスモータ３において特徴なスラスト軸受構造について説明する。
このブラシレスモータ３は、先端側のスラスト磁気軸受４１と、後端側のスラスト磁気軸受４２とを備えている。
【００３３】
図１に示されるように、先端側のスラスト磁気軸受４１は、第１磁性部材である大径の環状マグネット４３と、第２磁性部材である小径の環状マグネット４４とによって構成されている。小径の環状マグネット４４は、ブッシュ１８ｂの先端側に設けられた環状の嵌着段部４５に嵌着されている。大径の環状マグネット４３は、ケーシング本体１３においてロータ挿入孔１５の開口部内周面に設けられた環状の嵌着段部４６に嵌着されている。従って、大径の環状マグネット４３は、小径の環状マグネット４４の外周側となる位置に設けられている。別の言い方をすると、大径の環状マグネット４３は、小径の環状マグネット４４を包囲するように配置されている。従って、大径の環状マグネット４３の内周面は、小径の環状マグネット４４の外周面に対向した状態で配置されている。なお、大径の環状マグネット４３の内周面は、ロータ挿入孔１５において嵌着段部４６がある部分の内周面とほぼ面一であり、何らロータ中心軸方向に突出していない状態となっている。
【００３４】
両環状マグネット４３，４４同士は、異なる磁極が向き合うように配設されている。従って、両環状マグネット４３，４４間には磁気的な吸引力が働き、この吸引力によって動力伝達用シャフト１６のスラスト方向への移動が規制されるようになっている。
【００３５】
ここで、図１，図２に示されるように、大径の環状マグネット４３の外径寸法は、気体圧送ポンプ８の外径寸法よりも小さくなるように設定されていることがよい。また、大径の環状マグネット４３は、気体圧送ポンプ８と近接して配置されていることがよい。本実施形態において具体的には、大径の環状マグネット４３の外径寸法は、気体圧送ポンプ８の外径寸法の１／３〜１／４程度に設定されている。また、小径の環状マグネット４４は、気体圧送ポンプ８から数mm乃至数十mm程度離れた位置、つまり極めて近接した位置に配置されている。
【００３６】
環状マグネット４３の内径は、少なくとも環状マグネット４４の外径よりも大きい必要がある。本実施形態においてより具体的には、環状マグネット４３の内径は、環状マグネット４４及び筒状カバー２２の外径よりも大きい必要がある。
【００３７】
図１に示されるように、後端側のスラスト磁気軸受４２は、第３磁性部材である大径の環状マグネット４７と、第４磁性部材である小径の環状マグネット４８とによって構成されている。小径の環状マグネット４８は、ブッシュ１８ａから突出するロータ１２の基端部に装着されている。大径の環状マグネット４７は、エンドプレート１４の凹部１４ａに設けられた環状の嵌着段部４９に嵌着されている。従って、大径の環状マグネット４７は、小径の環状マグネット４８の外周側となる位置に設けられている。別の言い方をすると、大径の環状マグネット４７は、小径の環状マグネット４８を包囲するように配置されている。従って、大径の環状マグネット４７の内周面は、小径の環状マグネット４８の外周面に対向した状態でかつ所定間隔を保持した状態で配置されている。環状マグネット４７の内径は、少なくとも環状マグネット４８の外径よりも大きい必要がある。
【００３８】
両環状マグネット４７，４８同士は、異なる磁極が向き合うように配設されている。従って、両環状マグネット４７，４８間には磁気的な吸引力が働き、この吸引力によって動力伝達用シャフト１６のスラスト方向への移動が規制されるようになっている。
【００３９】
上記のように構成された人工呼吸器用気体圧送ポンプ１の動作について簡単に述べる。
ロータ１２は、各電機子コイル３０に通電制御を行うことにより回転を開始する。このとき、ロータ１２のスラスト方向の荷重は、二対の環状マグネット４３，４４及び４７，４８の磁気的吸引力によって受承される。ロータ１２のラジアル方向の荷重は、筒状カバー２２とスリーブ２３との間に導入される加圧空気によって受承される。従って、ロータ１２は、モータケーシング１１内の各部材と接触することなく高速にかつ安定して回転することができる。そして、ロータ１２の回転力は、動力伝達用シャフト１６を介して伝達され、気体圧送ポンプ８を回転駆動させる。その結果、酸素ガスや麻酔ガスがガス吸入口６側からガス吐出口７側へと圧送され、当該ガスが患者の口を介して気道内に供給される。
【００４０】
次に、メインテナンス時において人工呼吸器用気体圧送ポンプ１は以下のようにして分解される。まず、ポンプケーシング４を構成する部材を分割して取り外し、気体圧送ポンプ部２とブラシレスモータ３とを分離させる。これにより気体圧送ポンプ８が外部に露出する。次いで、図４に示されるように、ロータ１２を気体圧送ポンプ８が付いたままの状態でロータ先端方向（同図の矢印参照）にスライドさせる。その結果、ロータ１２をロータ挿入孔１５の開口部を介してモータケーシング１１の外部に簡単に取り出すことができる。この後、回転側である気体圧送ポンプ８付きのロータ１２と、固定側であるモータケーシング１１とを個別に洗浄するとともに、さらにオートクレーブにより滅菌消毒を行う。この作業を経ることにより、装置内部に入り込んで付着した異物、細菌、ウィルスが確実に除去される。なお、本実施形態の人工呼吸器用気体圧送ポンプ１は、上記の分解作業と反対の手順を経ることにより、簡単に組み立てることができ、再び使用可能な状態となる。
【００４１】
従って、本実施形態によれば以下のような効果を得ることができる。
（１）この人工呼吸器用気体圧送ポンプ１では、第１磁性部材である大径の環状マグネット４３が、ロータ挿入孔１５の開口部内周面において、第２磁性部材である小径の環状マグネット４４の外周側となる位置に設けられている。即ち、従来構造のように、先端側のスラスト磁気軸受４１を構成する一対の環状マグネット４３，４４が、ロータ軸線方向に沿って並ぶように配設されているわけではない。従って、モータケーシング１１側の環状マグネット４３が、ロータ１２側の環状マグネット４４の邪魔にならない。ゆえに、ロータ１２をロータ挿入孔１５から簡単に取り出すことが可能となる。このため、モータケーシング１１とロータ１２とを分解した状態で、それらを個別に洗浄、滅菌消毒することができる。よって、洗浄、滅菌消毒を確実に行うことができる。勿論、この構成であると、分解後に再度簡単に組み立てることも可能となる。
【００４２】
（２）この人工呼吸器用気体圧送ポンプ１では、第１磁性部材である環状マグネット４３が、ロータ挿入孔１５の開口部内周面に設けられた嵌着段部４６に嵌着されている。従って、当該環状マグネット４３がモータケーシング１１側に対し、位置ズレすることなく確実に保持させることができる。また、この構造であると、ロータ挿入孔１５の内周面から環状マグネット４３の内周面が殆ど突出しない状態とすることができる。このため、ロータ１２の取り出し時において当該環状マグネット４３にロータ１２の構成部材が当接しにくくなる。ゆえに、環状マグネット４３が破損しにくくなる。よって、マグネット４３の破損を避けるべく、取り出し時にロータ１２を慎重に取り扱う必要がなく、従来に比べて取扱性に優れたブラシレスモータ３を実現することができる。
【００４３】
（３）この人工呼吸器用気体圧送ポンプ１では、小径の環状マグネット４４の外径寸法は、気体圧送ポンプ８の外径寸法よりも小さくなるように設定されている。また、小径の環状マグネット４４は、気体圧送ポンプ８に極めて近接した位置に配置されている。ゆえに、環状マグネット４４に比べて気体圧送ポンプ８のほうが、ロータ１２の径方向に張り出した状態となっている。
【００４４】
ゆえに、モータ３を分解してモータケーシング１１からロータ１２を取り出してそれを載置した場合、図５に示されるように、気体圧送ポンプ８の外周部が載置面に対して接触し、環状マグネット４４は何ら接触しなくなる。従って、環状マグネット４４が破損しにくくなる。よって、マグネット４４の破損を避けるべく、取り出した後のロータ１２を慎重に取り扱う必要がなくなる。ゆえに、従来に比べて取扱性に優れたブラシレスモータ３を実現することができる。
【００４５】
（４）さらに、この人工呼吸器用気体圧送ポンプ１では、後端側のスラスト磁気軸受４２を構成する環状マグネット４８を、ブッシュ１８ａではなく、相対的に小径のシャフト１６に対してじかに固定している。従って、より小径の環状マグネット４８を用いることができる。しかも、環状マグネット４８の外径寸法はブッシュ１８ａの外径寸法よりも小さくなるように設定されるとともに、両者４８，１８ａが極めて近接して配置されている。従って、図５に示されるように、分解時においてブッシュ１８ａの外周部が載置面に対して接触し、環状マグネット４８は何ら接触しなくなる。このため、環状マグネット４８が破損しにくくなる。よって、マグネット４８の破損を避けるべく、取り出した後のロータ１２を慎重に取り扱う必要がなくなる。ゆえに、従来に比べて取扱性に優れたブラシレスモータ３を実現することができる。
【００４６】
なお、本発明の実施形態は以下のように変更してもよい。
・  後端側のスラスト磁気軸受４２については、それを構成する一対の環状マグネット４７，４８を、ロータ軸線方向に沿って並ぶように配設してもよい。後端側については、このような構成を採ったとしても、ロータ１２の取り出し時にマグネット４７等が特に邪魔にならないからである。具体的には、ほぼ同径の環状マグネット４７，４８を用い、両者４７，４８の側面同士が対向するように配置する。この場合、ロータ１２側の環状マグネット４８をブッシュ１８ａに嵌着し、モータケーシング１１側の環状マグネット４７をエンドプレート１４に固定する。
【００４７】
・  第１〜第４磁性部材であるマグネット４３，４４，４７，４８は、必ずしも全体として環状かつ１つ部材でなくてもよく、複数の磁石片を環状に配置してなるものであってもよい。また、これらのマグネット４３，４４，４７，４８として、永久磁石を用いてもよいほか、電磁石を用いることも許容される。
【００４８】
・  先端側のスラスト磁気軸受４１において、ロータ挿入孔１５の内周面に嵌着段部４６を設けずに、そのまま接着剤等により環状マグネット４３を取り付けることも許容される。
【００４９】
次に、特許請求の範囲に記載された技術的思想のほかに、前述した実施形態によって把握される技術的思想を以下に列挙する。
（１）  請求項１乃至４のいずれか１つにおいて、前記スラスト磁気軸受を構成する第１磁性部材及び第２磁性部材同士は、異なる磁極が向かい合った状態で配置されていること。従って、この技術的思想１に記載の発明によれば、両磁性部材間に磁気的吸引力が働くことによって、ロータのスラスト方向への移動が規制される。
【００５０】
（２）  モータケーシングの先端側にて開口するロータ挿入孔内にロータが回転可能に挿入され、前記モータケーシング側に設けた第１磁性部材とロータ先端側に設けた第２磁性部材とにより先端側のスラスト磁気軸受が構成され、前記モータケーシング側に設けた第３磁性部材とロータ後端側に設けた第４磁性部材とにより後端側のスラスト磁気軸受が構成され、ロータ回転軸の先端側に気体圧送ポンプが連結可能な人工呼吸器用ブラシレスモータにおいて、前記第１磁性部材は、前記ロータ挿入孔の内周面において前記第２磁性部材の外周側となる位置に設けられ、前記第３磁性部材は、前記ロータ挿入孔の内周面において前記第４磁性部材の外周側となる位置に設けられていることを特徴とする人工呼吸器用ブラシレスモータ。
【００５１】
（３）  技術的思想２において、前記後端側のスラスト磁気軸受を構成する第４磁性部材はロータ回転軸に固定された環状マグネットであり、その環状マグネットの外径寸法は前記ロータ回転軸に設けられた後端側ブッシュの外径寸法よりも小さくなるように設定されていること。従って、この技術的思想３に記載の発明によれば、分解時に第４磁性部材である環状マグネットが破損しにくくなる。
【００５２】
【発明の効果】
以上詳述したように、請求項１に記載の発明によれば、モータケーシングとロータとを簡単に分解することができ、洗浄や滅菌消毒を確実に行うことができる人工呼吸器用気体圧送ポンプを提供することができる。
【００５３】
請求項２，３に記載の発明によれば、分解時であっても破損しにくく取扱性に優れた人工呼吸器用気体圧送ポンプを提供することができる。
請求項４に記載の発明によれば、モータケーシングとロータとを簡単に分解することができ、洗浄や滅菌消毒を確実に行うことができる人工呼吸器用ブラシレスモータを提供することができる。
【図面の簡単な説明】
【図１】本発明を具体化した一実施形態の人工呼吸器の概略断面図。
【図２】実施形態において、気体圧送ポンプ、ロータ及びスリーブの分解斜視図。
【図３】図１のＡ−Ａ線における断面図。
【図４】実施形態のモータを分解するときの様子を示す概略断面図。
【図５】取り出されたロータを載置したときの様子を示す概略図。
【符号の説明】
１…人工呼吸器、３…人工呼吸器用ブラシレスモータ、４…ポンプケーシング、８…気体圧送ポンプ、１１…モータケーシング、１２…ロータ、１５…ロータ挿入孔、１６…ロータ回転軸としての動力伝達用シャフト、４１…先端側のスラスト磁気軸受、４３…第１磁性部材としての環状マグネット、４４…第２磁性部材としての環状マグネット、４６…嵌着段部。
【図１】
0004750293.tif 000002
【図２】
0004750293.tif 000003
【図３】
0004750293.tif 000004
【図４】
0004750293.tif 000005
【図５】
0004750293.tif 000006